(57)【要約】【課題】光ディスク等の記録媒体を損傷させることがなく、また、該記録媒体の取出しや収納の作業が極めて容易となる収納ケースを提供する。【解決手段】収納ケースＡは、ケース本体１０を有し、ケース本体１０内に設けられた収納空間部Ｋの端部には、断面略コ字状の周縁支持部８０が設けられていて、記録媒体の周縁を支持することができるようになっている。この周縁支持部８０は、収納空間部Ｋの奥側では記録媒体の形状に合わせて円弧状に設けられている。この収納空間部Ｋにおける周縁支持部８０が設けられている領域以外の領域の上下幅は、周縁支持部８０の上下幅よりも大きく形成されている。【選択図】        図１
2005071423.tif 000002
【特許請求の範囲】
【請求項１】
光ディスク等の円板状の記録媒体を収納する収納ケースであって、
収納される記録媒体の周縁の少なくとも一部に対応して設けられた溝部で、記録媒体の周縁を支持する溝部を有することを特徴とする収納ケース。
【請求項２】
光ディスク等の円板状の記録媒体を収納する収納ケースであって、
収納される記録媒体の周縁の少なくとも一部に対応して設けられた溝部と、
該溝部内に設けられた周縁支持部で、記録媒体の周縁を支持する周縁支持部と、
を有することを特徴とする収納ケース。
【請求項３】
光ディスク等の円板状の記録媒体を収納する収納ケースであって、
収納ケースの側面に設けられた、記録媒体を収納及び取り出すための開口部と、
該開口部から連設された扁平状の収納空間部で、その内側部には、断面略四角形状の溝部を有する収納空間部と、
該溝部内に設けられた周縁支持部で、互いに平行な水平部と、該水平部間に設けられた垂直部とを有し、該水平部と垂直部により断面略コ字状を呈する周縁支持部と、
を有することを特徴とする収納ケース。
【請求項４】
光ディスク等の円板状の記録媒体を収納する収納ケースであって、
下側部と、該下側部の上側に設けられた上側部とを有する本体部で、
該下側部が、
平板状を呈する平板状部と、
該平板状部の上面に設けられた下側突状部で、収納される記録媒体の周縁の一部に対応して該下側突状部の内周側の少なくとも一部が円弧状に形成された下側突状部で、該下側突状部の内周側に向いた断面略四角形状の切欠部を有する下側突状部と、
を有し、
該上側部が、
平板状を呈する平板状部と、
該平板状部の下面に設けられるとともに該下側突状部の上側に設けられた上側突状部で、収納される記録媒体の周縁の一部に対応して該上側突状部の内周側の少なくとも一部が円弧状に形成された上側突状部で、該上側突状部の内周側に向いた断面略四角形状の切欠部を有する上側突状部と、
を有し、
該下側部と上側部間に収納空間部が設けられ、該本体部の側面における下側突状部と上側突状部とが設けられていない領域に該収納空間部の開口部が形成された本体部と、
該下側突状部の切欠部と該上側突状部の切欠部とで形成された断面略四角形状の溝部内に設けられた周縁支持部で、互いに平行な水平部と、該水平部間に設けられた垂直部とを有し、該水平部と垂直部により断面略コ字状を呈する周縁支持部と、
を有することを特徴とする収納ケース。
【請求項５】
上記収納空間部及び周縁支持部の形状が、上記水平部に平行な中心面を介して面対称に形成されていることを特徴とする請求項３又は４に記載の収納ケース。
【請求項６】
上記収納空間部における上記溝部の内周側には、収納空間部の幅が内周側になるほど幅広となるように傾斜部が形成されていることを特徴とする請求項３又は４又は５に記載の収納ケース。
【請求項７】
上記収納ケースには、上記開口部をカバーするための蓋部が設けられていることを特徴とする請求項３又は４又は５又は６に記載の収納ケース。
【請求項８】
上記収納ケースには、上記開口部の端部に設けられた脱落防止部であって、所定の回動軸を中心に回動するとともに、収納された記録媒体の脱落を防止する位置に向けて付勢された脱落防止部が設けられていることを特徴とする請求項３又は４又は５又は６又は７に記載の収納ケース。
【請求項９】
上記脱落防止部には、収納される記録媒体の周縁の一部に対応して設けられた断面略四角形状の溝部と、該溝部内に設けられた周縁支持部で、断面略コ字状を呈する周縁支持部と、が設けられていることを特徴とする請求項８に記載の収納ケース。
【請求項１０】
該脱落防止部における該溝部の開口側には、内周側になるほど幅広となるように傾斜部が形成されていることを特徴とする請求項９に記載の収納ケース。
【請求項１１】
上記周縁支持部における断面略コ字状の溝部における深さ方向の幅が該記録媒体の外周端に設けられた非記録領域の径方向の幅よりも小さく形成されていることを特徴とする請求項３又は４又は５又は６又は７又は８又は９又は１０に記載の収納ケース。
【請求項１２】
上記収納空間部の上部又は下部に、収納された記録媒体の中央に設けられた中央開口部を露出させるとともに、中央開口部を掛止した状態で収納空間部の開口部に誘導することができる開口部が設けられていることを特とする請求項３又は４又は５又は６又は７又は８又は９又は１０又は１１に記載の収納ケース。
【請求項１３】
上記溝部の一部が、収納ケース内に収納される記録媒体の円弧形状に合わせて円弧状に形成されていることを特徴とする請求項１又は２又は３又は４又は５又は６又は７又は８又は９又は１０又は１１又は１２に記載の収納ケース。
【請求項１４】
光ディスク等の円板状の記録媒体の複数を収納できる収納体であって、
少なくとも正面側の面が開口した箱状部と、
該箱状部内に設けられた複数の収納ケースで、請求項１又は２又は３又は４又は５又は６又は７又は８又は９又は１０又は１１又は１２又は１３に記載の収納ケースと、
を有することを特徴とする収納体。
【請求項１５】
上記収納ケースが、箱状部に対して回動自在に設けられ、該箱状部内に収納された収納ケースを回動させることにより収納ケースに設けられた、記録媒体を収納及び取り出すための開口部が正面側に露出することを特徴とする請求項１４に記載の収納体。
【発明の詳細な説明】
【０００１】
【発明の属する技術分野】
本発明は、ＤＶＤ、ＣＤ等の光ディスク等の情報記録媒体の収納ケースに関するものである。
【０００２】
【従来の技術】
従来より、円板状の光ディスクを収納する収納ケースとしては、種々のものが存在する。
【０００３】
例えば、光ディスクの中心に設けられた円形の開口部に係止する係止部を有し、光ディスクの中心に設けられた開口部の位置で光ディスクを支持するものが存在する（特許文献１、特許文献２参照）。
【０００４】
【特許文献１】
特開平６−１２２４９１号
【０００５】
【特許文献２】
特開２００３−１２０７８号
一方、光ディスクの周囲の位置で保持するための光ディスク保持部を設けたものも存在する（特許文献３、特許文献４参照）。
【０００６】
【特許文献３】
特開２００１−１２２３７３号
【０００７】
【特許文献４】
特開２００１−１８０７８０
【０００８】
【発明が解決しようとする課題】
しかし、上記特許文献１や特許文献２に記載の収納ケースの場合には、光ディスクの中心に設けられた開口部に係止部を係止させて光ディスクを支持することから、該開口部が損傷するおそれがあり、該開口部が損傷した場合には、光ディスクの再生等に支障が生じてしまう。
【０００９】
また、上記特許文献１や特許文献２に記載の収納ケースの場合に、光ディスクを収納する際には、該係止部に開口部の部分を係止させなければならず、また、光ディスクを取り出す際には、該係止部から開口部の部分を外さなければならず、収納や取出しの作業が困難であるという問題があった。
【００１０】
また、上記特許文献３や特許文献４に記載の光ディスク収納体の場合には、光ディスクの周囲の位置で光ディスクを保持することから開口部の部分が損傷することはないが、光ディスクの非記録部分である外周縁にのみ当接して光ディスクを底面から持ち上げる断面三角形状の凸部を周設しているので、この凸部が先端が尖っているため却って光ディスクの底面を傷つけるおそれがあり、寸法誤差等によりこの凸部が光ディスクの記録面に接触するような状態になった場合には、光ディスクの記録面を損傷させてしまうことになる。また、光ディスクを誤って表裏逆に収納した場合に、光ディスクの外周縁を該凸部との間で挟持する掛止片が光ディスクの記録面に当たってしまい記録面を損傷させるおそれもある。
【００１１】
また、上記特許文献３や特許文献４に記載の光ディスク収納体の場合にも、光ディスク収納体に保持された光ディスクを取り出す際に光ディスクの先端側を持ち上げる動作を必要とし、極めて容易には光ディスクを取り出すことができないという問題があった。
【００１２】
そこで、本発明は、光ディスク等の記録媒体を損傷させることがなく、また、該記録媒体の取出しや収納の作業が極めて容易となる収納ケースを提供することを目的とするものである。
【００１３】
【課題を解決するための手段】
本発明は上記問題点を解決するために創作されたものであって、第１には、光ディスク等の円板状の記録媒体を収納する収納ケースであって、収納される記録媒体の周縁の少なくとも一部に対応して設けられた溝部で、記録媒体の周縁を支持する溝部を有することを特徴とする。
【００１４】
この第１の構成の収納ケースにおいては、上記溝部が設けられているので、この溝部により記録媒体の周縁を支持することができるので、記録媒体を損傷させることがない。
【００１５】
また、第２には、光ディスク等の円板状の記録媒体を収納する収納ケースであって、収納される記録媒体の周縁の少なくとも一部に対応して設けられた溝部と、該溝部内に設けられた周縁支持部で、記録媒体の周縁を支持する周縁支持部と、を有することを特徴とする。
【００１６】
この第２の構成の収納ケースにおいては、上記溝部が設けられ、該溝部に周縁支持部が設けられているので、この周縁支持部により記録媒体の周縁を支持することができるので、記録媒体を損傷させることがない。なお、この周縁支持部は、例えば、断面略コ字状とする。
【００１７】
また、第３には、光ディスク等の円板状の記録媒体を収納する収納ケースであって、収納ケースの側面に設けられた、記録媒体を収納及び取り出すための開口部と、該開口部から連設された扁平状の収納空間部で、その内側部には、断面略四角形状の溝部を有する収納空間部と、該溝部内に設けられた周縁支持部で、互いに平行な水平部と、該水平部間に設けられた垂直部とを有し、該水平部と垂直部により断面略コ字状を呈する周縁支持部と、を有することを特徴とする。
【００１８】
この第３の構成の収納ケースにおいては、記録媒体を周縁支持部に臨ませ、この周縁支持部をレールのように使用して、開口部から記録媒体をスライドさせて収納空間部内に収納させる。収納空間部に設けられた溝部に周縁支持部が設けられているので、この周縁支持部により記録媒体の周縁を支持することができるので、記録媒体を損傷させることがない。また、収納された記録媒体を取り出す場合には、記録媒体を引き出すのみで開口部から取り出すことができ、また、記録媒体を収納する場合には、開口部から収納空間部内に記録媒体を押し込むのみでよいので、記録媒体の取出しや収納の作業が極めて容易となる。
【００１９】
なお、上記第３の構成において、収納空間部における溝部以外の領域においては、その幅が該溝部の幅よりも大きく形成されているようにすることが好ましい。つまり、収納空間部の溝部以外の領域における記録媒体の径方向に垂直な方向の幅が、該溝部における記録媒体の径方向に垂直な方向の幅よりも大きいものとするのが好ましい。
【００２０】
なお、この第３の構成を以下のようにしてもよい。すなわち、「光ディスク等の円板状の記録媒体を収納する収納ケースであって、収納ケースの側面に設けられた、記録媒体を収納及び取り出すための開口部と、該開口部から連設された扁平状の収納空間部で、その内側部には、収納される記録媒体の周縁の一部に対応して設けられた断面略四角形状の溝部を有する収納空間部と、該溝部内に設けられた周縁支持部で、記録媒体の周縁をスライドさせるとともに該周縁を支持する周縁支持部と、を有することを特徴とする収納ケース。」とする。
【００２１】
また、第４には、光ディスク等の円板状の記録媒体を収納する収納ケースであって、下側部と、該下側部の上側に設けられた上側部とを有する本体部で、該下側部が、平板状を呈する平板状部と、該平板状部の上面に設けられた下側突状部で、収納される記録媒体の周縁の一部に対応して該下側突状部の内周側の少なくとも一部が円弧状に形成された下側突状部で、該下側突状部の内周側に向いた断面略四角形状の切欠部を有する下側突状部と、を有し、該上側部が、平板状を呈する平板状部と、該平板状部の下面に設けられるとともに該下側突状部の上側に設けられた上側突状部で、収納される記録媒体の周縁の一部に対応して該上側突状部の内周側の少なくとも一部が円弧状に形成された上側突状部で、該上側突状部の内周側に向いた断面略四角形状の切欠部を有する上側突状部と、を有し、該下側部と上側部間に収納空間部が設けられ、該本体部の側面における下側突状部と上側突状部とが設けられていない領域に該収納空間部の開口部が形成された本体部と、該下側突状部の切欠部と該上側突状部の切欠部とで形成された断面略四角形状の溝部内に設けられた周縁支持部で、互いに平行な水平部と、該水平部間に設けられた垂直部とを有し、該水平部と垂直部により断面略コ字状を呈する周縁支持部と、を有することを特徴とする。
【００２２】
この第４の構成の収納ケースにおいては、収納空間部に設けられた溝部に周縁支持部が設けられているので、この周縁支持部により記録媒体の周縁を支持することができるので、記録媒体を損傷させることがない。また、収納空間部における溝部よりも内周側は、溝部に比べてその幅が広く形成されているので、収納空間部の上面や底面が記録媒体に接触することがなく、その点でも記録媒体を損傷させることがない。また、収納された記録媒体を取り出す場合には、記録媒体を引き出すのみで開口部から取り出すことができ、また、記録媒体を収納する場合には、開口部から収納空間部内に記録媒体を押し込むのみでよいので、記録媒体の取出しや収納の作業が極めて容易となる。
【００２３】
また、第５には、上記第３又は第４の構成において、上記収納空間部及び周縁支持部の形状が、上記水平部に平行な中心面を介して面対称に形成されていることを特徴とする。よって、記録媒体の表面と裏面のいずれを上側にして収納しても、光ディスクが損傷することがない。
【００２４】
また、第６には、上記第３から第５までのいずれかの構成において、上記収納空間部における上記溝部の内周側には、収納空間部の幅が内周側になるほど幅広となるように傾斜部が形成されていることを特徴とする。よって、この傾斜部により、記録媒体の周縁を周縁支持部に導きやすくなり、記録媒体の収納を容易とすることができる。
【００２５】
また、第７には、上記第３から第６までのいずれかの構成において、上記収納ケースには、上記開口部をカバーするための蓋部が設けられていることを特徴とする。よって、蓋部を閉じた状態にしておくことにより、収納された記録媒体が収納空間部から飛び出す等して脱落することがない。
【００２６】
また、第８には、上記第３から第７までのいずれかの構成において、上記収納ケースには、上記開口部の端部に設けられた脱落防止部であって、所定の回動軸を中心に回動するとともに、収納された記録媒体の脱落を防止する位置に向けて付勢された脱落防止部が設けられていることを特徴とする。よって、この脱落防止部が所定の方向に付勢されているので、収納された記録媒体が飛び出す等して脱落することがない。
【００２７】
なお、この第８の構成において、脱落防止部の平面形状、すなわち、収納される記録媒体の径方向とは垂直な方向から視認した形状としては、周縁支持部の円弧形状に沿って形成された円弧状部と、該円弧状部に連設された湾曲部であって、外周側に湾曲した形状の湾曲部とを有する形状とするのが好ましい。これにより、記録媒体を収納する場合には、記録媒体を開口部から収納空間部に向けて押し込むことにより、この湾曲部を押して自動的に脱落防止部を開く方向に回動させながら収納させることができる。
【００２８】
また、第９には、上記第８の構成において、上記脱落防止部には、収納される記録媒体の周縁の一部に対応して設けられた断面略四角形状の溝部と、該溝部内に設けられた周縁支持部で、断面略コ字状を呈する周縁支持部と、が設けられていることを特徴とする。よって、収納された記録媒体の周縁を周縁支持部により支持することが可能となる。
【００２９】
また、第１０には、上記第９の構成において、該脱落防止部における該溝部の開口側には、内周側になるほど幅広となるように傾斜部が形成されていることを特徴とする。よって、この傾斜部により、記録媒体の周縁を周縁支持部に導きやすくなり、記録媒体の収納を容易とすることができる。
【００３０】
また、第１１には、上記第３から第１０までのいずれかの構成において、上記周縁支持部における断面略コ字状の溝部における深さ方向の幅が該記録媒体の外周端に設けられた非記録領域の径方向の幅よりも小さく形成されていることを特徴とする。これにより、周縁支持部が確実に記録媒体の記録面に接触しないようにすることができ、記録媒体の損傷をより防止することができる。
【００３１】
また、第１２には、上記第３から第１１までのいずれかの構成において、上記収納空間部の上部又は下部に、収納された記録媒体の中央に設けられた中央開口部を露出させるとともに、中央開口部を掛止した状態で収納空間部の開口部に誘導することができる開口部が設けられていることを特徴とする。これにより、収納された記録媒体の中央開口部に指を掛止した状態で記録媒体を引き出すことが可能となる。
【００３２】
また、第１３には、上記第１から第１２までのいずれかの構成において、上記溝部の一部が、収納ケース内に収納される記録媒体の円弧形状に合わせて円弧状に形成されていることを特徴とする。よって、記録媒体の周縁を広く支持することが可能となる。
【００３３】
また、第１４には、光ディスク等の円板状の記録媒体の複数を収納できる収納体であって、少なくとも正面側の面が開口した箱状部と、該箱状部内に設けられた複数の収納ケースで、第１又は２又は３又は４又は５又は６又は７又は８又は９又は１０又は１１又は１２又は１３の構成の収納ケースと、を有することを特徴とする。
【００３４】
よって、この収納体によれば、複数の記録媒体を収納することができる。また、上記各構成の収納ケースにおいて、上記各構成の作用効果を得ることができる。
【００３５】
また、第１５には、上記第１４の構成において、上記収納ケースが、箱状部に対して回動自在に設けられ、該箱状部内に収納された収納ケースを回動させることにより収納ケースに設けられた、記録媒体を収納及び取り出すための開口部が正面側に露出することを特徴とする。よって、記録媒体を使用しない場合には、箱状部内に開口部を納めておくことができるので、埃等が入るおそれがなく、また、記録媒体が不用意に脱落することがない。また、記録媒体を取り出したり収納する場合には、収納ケースを回動させるのみでよいので、操作が容易となる。
【００３６】
【発明の実施の形態】
本発明の実施の形態としての実施例を図面を利用して説明する。まず、第１実施例について説明する。収納ケースＡは、図１〜図５に示すように構成され、ケース本体１０と、蓋部９０とを有し、蓋部９０がケース本体１０に対して開閉するようになっている。
【００３７】
ここで、ケース本体１０は、全体に略平板状の略直方体形状を呈し、内部に収納空間部Ｋを有する構成となっている。この収納空間部Ｋは、下側部２０と上側部５０間に形成された空間であり、扁平状を呈しているといえる。なお、このケース本体１０は、上記特許請求の範囲との関係では、特許請求の範囲における収納ケースに当たる場合もある。
【００３８】
すなわち、ケース本体１０は、下側部２０と、上側部５０と、周縁支持部８０を有し、この下側部２０と上側部５０とを重ねて固着した形状を呈している。
【００３９】
ここで、下側部２０は、平板状部２２と、突状部３０とを有し、平板状部２２は、四角形状（具体的には、正方形状）の板状を呈している。なお、下側部２０は、全体に一体に形成されている。また、平板状部２２の上面と下面とはともに平面状に形成され、これにより、平板状部２２の上面、すなわち、収納空間部Ｋにおける内側底面部Ｋ１も平面状に形成されている。
【００４０】
また、突状部３０は、平板状部２２における一方の辺部を除いて三方の辺部の周囲に突設されていて、その平面形状については、図３に示すように、その外側の外形は、正方形状の一部をなしていて、その背面側（Ｙ２側）には、帯状に垂直に立設した壁部３０ａが設けられ、左側面側（Ｘ２側）には、帯状に垂直に立設した壁部３０ｂが設けられ、右側面側（Ｘ１側）には、帯状に垂直に立設した壁部３０ｃが設けられ、正面側（Ｙ１側）には、両側に垂直に立設した壁部３０ｄが設けられている。この突状部３０の平面形状における外形は、図３に示すように、平板状部２２よりも若干小さく形成されているが、これは、蓋部９０の厚みを考慮したものである。なお、突状部３０は、平板状部２２の上面よりも上方に突出した部分である。
【００４１】
また、この突状部３０の内側には、傾斜部３２が形成され、また、該傾斜部３２の外側には、切欠部３４が設けられている。この傾斜部３２は、内側から外側に向けて上方に傾斜する傾斜面からなり、その横断面は、図５に示すように、直線状となっている。また、該切欠部３４は、その横断面が長方形状を呈し、具体的には、平面部３４ａと垂直部３４ｂとから形成されている。この平面部３４ｂは、該傾斜部３２の上端から連設されている。また、垂直部３４ｂの上端からは、上面部３６が連設されている。この上面部３６は、平面状を呈し、その外側の端部は、突状部３０の外周側の壁部の上端と連設されている。なお、該傾斜部３２と、切欠部３４の平面形状は、図３に示すように、一方の端部からは直線状に伸び、その後、半円状にカーブして、再び直線状に伸びる形状となっている。つまり、傾斜部３２や切欠部３４の平面視における輪郭線は、半円の円弧状の線部と該線部の端部からそれぞれ連設した直線で互いに平行な直線とからなる。このようにして、傾斜部３２と切欠部３４とは、平行な２つの直線状部Ｈ１、Ｈ３と、直線状部Ｈ１、Ｈ３の端部に連設された円弧状部Ｈ２とから構成され、全体として、トラック形状の半分のような形状を呈している。なお、この直線状部Ｈ１、Ｈ３のＹ１−Ｙ２方向の長さは、光ディスクを収納できるように構成されている。つまり、収納ケースＡの完成状態において、断面略コ字状（「断面コ字状」としてもよい。他においても同じ）を呈する周縁支持部８０（詳しくは後述）における垂直部８０ｂの内側の面における円弧状の直径α２の半分の長さα２／２よりも、直線状部Ｈ１、Ｈ３のＹ１−Ｙ２方向の長さ（つまり、α１）の方が長く形成されている。また、該切欠部３４の大きさ、特に、横断面における大きさは、周縁支持部８０が収納できる大きさに形成されている。
【００４２】
次に、上側部５０は、平板状部５２と、突状部６０とを有し、平板状部５２は、四角形状（具体的には、正方形状）の板状を呈している。なお、上側部５０は、全体に一体に形成されている。この平板状部５２の各辺部の長さは、図１、図５等に示すように、下側部２０における突状部３０の長さと同様に形成されている。つまり、平板状部５２のＸ１−Ｘ２方向の幅は、突状部３０のＸ１−Ｘ２方向の幅と同様に形成され、また、平板状部５２のＹ１−Ｙ２方向の幅は、突状部３０のＹ１−Ｙ２方向の幅と同様に形成されている。つまり、平板状部２２に比べて若干小さく形成されている。また、この平板状部５２には、切欠部５４が形成されている。この切欠部５４は、平板状部５２の正面側（Ｙ１側）から帯状に形成されている。つまり、この切欠部５４の開口部は、収納空間部Ｋの開口部の向きと合わせて形成されている。なお、この切欠部５４は、光ディスクを内部に収納した際に、光ディスクの中央に設けられた円形の開口部がこの切欠部５４から露出するように形成されている（図４参照）。また、平板状部５２の上面と下面とはともに平面状に形成され、これにより、平板状部５２の下面、すなわち、収納空間部Ｋにおける内側天井部Ｋ２も平面状に形成されている。
【００４３】
また、突状部６０は、平板状部５２における一方の辺部を除いて三方の辺部の周囲に突設されていて、その平面形状については、図４に示すように、その外側の外形は、正方形状の一部をなしていて、その背面側（Ｙ２側）には、帯状に垂直に立設した壁部６０ａが設けられ、左側面側（Ｘ２側）には、帯状に垂直に立設した壁部６０ｂが設けられ、右側面側（Ｘ１側）には、帯状に垂直に立設した壁部６０ｃが設けられ、正面側（Ｙ１側）には、両側に垂直に立設した壁部６０ｄが設けられている。この突状部６０の平面形状における外形は、図１、図４に示すように、平板状部５２と同様に形成されている。なお、突状部６０は、平板状部５２の下面よりも下方に突出した部分である。
【００４４】
また、この突状部６０の内側には、図４、図５に示すように、傾斜部６２が形成され、また、該傾斜部６２の外側には、切欠部６４が設けられている。この傾斜部６２は、内側から外側に向けて下方に傾斜する傾斜面からなり、その横断面は、図５に示すように、直線状となっている。なお、傾斜部６２の傾斜角度は、傾斜部３２と対称になっている。また、該切欠部６４は、その横断面が長方形状を呈し、具体的には、平面部６４ａと垂直部６４ｂとから形成されている。この平面部６４ａは、該傾斜部６２の下端から連設されている。また、垂直部６４ｂの下端からは、下面部６６が連設されている。この下面部６６は、平面状を呈し、その下側の端部は、突状部６０の外周側の壁部の下端と連設されている。なお、該傾斜部６２と、切欠部６４の平面形状は、図４に示すように、一方の端部からは直線状に伸び、その後、半円状にカーブして、再び直線状に伸びる形状となっている。つまり、傾斜部６２や切欠部６４の平面視における輪郭線は、半円の円弧状の線部と該線部の端部からそれぞれ連設した直線で互いに平行な直線とからなる。このようにして、傾斜部６２と切欠部６４とは、平行な２つの直線状部Ｈ４、Ｈ６と、直線状部Ｈ４、Ｈ６の端部に連設された円弧状部Ｈ５とから構成され、全体として、トラック形状の半分のような形状を呈している。なお、この直線状部Ｈ４、Ｈ６のＹ１−Ｙ２方向の長さは、光ディスクを収納できるように構成されている。つまり、収納ケースＡの完成状態において、断面略コ字状を呈する周縁支持部８０（詳しくは後述）における垂直部８０ｂの内側の面における円弧状の直径α２の半分の長さα２／２よりも、直線状部Ｈ４、Ｈ６のＹ１−Ｙ２方向の長さ（つまり、α１）の方が長く形成されている。また、該切欠部６４の大きさ、特に、横断面における大きさは、周縁支持部８０が収納できる大きさに形成されている。
【００４５】
上記のように、上側部５０は、平板状部の部分の側方の外形形状が若干小さい点を除き、下側部２０と、水平面を介して略対称形状であるといえる。よって、下側部２０と上側部５０とで構成される内部の収納空間部は、水平の中心面を介して面対称となっているといえる。なお、上記下側部２０と上側部５０とで上記特許請求の範囲における本体部が構成される。
【００４６】
また、周縁支持部８０は、断面略コ字状を呈する帯状の部材であり、切欠部３４と切欠部６４とで構成される溝部Ｋ３１（この溝部Ｋ３１は、傾斜部３２と傾斜部６２とで挟まれた溝部Ｋ３０と溝部Ｋ３１とで構成される溝部Ｋ３における奥側の部分を示すといえる）内に設けられている。なお、この溝部Ｋ３１は、円弧状部Ｈ２の部分では、収納される記録媒体の周縁に対応しているといえる。この周縁支持部８０は、図５に示すように、平板状を呈する水平部８０ａと、該水平部８０ａの端部から垂直に連設された垂直部８０ｂと、該垂直部８０ｂの端部から直角に連設された水平部８０ｃとを有し、この水平部８０ａと水平部８０ｃとは平行になっている。つまり、周縁支持部８０は、水平部８０ａにおける平面や水平部８０ｃにおける平面に平行な中心面を中心に面対称の形状となっている。そして、この水平部８０ａが切欠部３４の平面部３４ａに固着され、垂直部８０ｂが垂直部３４ｂ、６４ｂに固着され、水平部８０ｃが平面部６４ａに固着されている。なお、溝部Ｋ３１において円弧状に形成されている部分については、この周縁支持部８０もその円弧状に合わせて円弧状に形成されている。つまり、周縁支持部８０の断面略コ字状形状における開口側は、内側を向いた状態となっている。この周縁支持部８０は、ゴム、シリコン、不織布等のクッション材により形成されている。また、この周縁支持部８０の内部の溝状部における幅β（図２参照）（このβは、周縁支持部８０における断面略コ字状の溝部における深さ方向の幅に当たる）は、光ディスクにおける外周の非記録領域の幅Ｗ（つまり、光ディスクにおける外周の非記録領域の外周と光ディスクの中心線を通る直線でディスク面に沿った直線との交点と、該非記録領域の内周と該直線との交点との間の距離、以下においても同じ）よりも短く形成されている。これにより、光ディスクが内部に収納された場合に、この周縁支持部８０が光ディスクの記録面に接触することはない。なお、当然、この周縁支持部８０における垂直部８０ｂの内側の面における円弧状の直径α２（このα２は、周縁支持部８０の平行な直線状部分における垂直部８０ｂの内側の面間の距離であるともいえる）は、収納対象の光ディスクの直径の長さ以上（該長さを越えるとしてもよい）の長さを有し、また、周縁支持部８０における水平部８０ａ、８０ｃの内側の端部における円弧状の直径α３（このα３は、周縁支持部８０の平行な直線状部分における水平部８０ａ、８０ｃの内側の端部間の距離であるともいえる）は、収納対象の光ディスクの直径の長さより短く形成されている。また、この周縁支持部８０の内部の溝部の厚みγは、収納対象の光ディスクの厚みと同じか若干大きめに形成されている。なお、周縁支持部８０がかなりの弾力性がある場合には、該厚みγは光ディスクの厚みよりも小さくする場合も考えられる。
【００４７】
なお、下側部２０と上側部５０とは接着剤等の固着手段により固着された状態となっている。
【００４８】
以上のようにして、収納空間部Ｋは、水平の中心面を介して面対称に形成されているといえる。
【００４９】
次に、蓋部９０は、平板状部９２と、平板状部９２の周囲に直角に帯板状に形成された周囲部９４ａ、９４ｂ、９４ｃとを有し、蓋部９０を閉じた状態で、周囲部９４ａは左側面側（Ｘ２側）となり、周囲部９４ｂは正面側（Ｙ１側）となり、周囲部９４ｃは右側面側（Ｘ１側）となるように、平板状部９２の端部から下方に向けて形成されている。この周囲部９４ｂは、蓋部９０を閉状態とした場合に、収納空間部Ｋの開口部ＫＯを塞ぐようになっている。また、蓋部９０は、ケース本体１０に対して開閉するようになっている。つまり、蓋部９０は、ケース本体１０の背面側に設けられた回動軸（この回動軸はＸ１−Ｘ２方向を向いている）を中心に回動して開閉するようになっている。
【００５０】
なお、蓋部９０とケース本体１０の閉状態をロックするロック手段を設けるようにしてもよい。つまり、例えば、蓋部９０に爪部を設けるとともに、ケース本体１０に該爪部が掛止される被掛止部を設け、蓋部９０を閉状態とした際にロックされ、蓋部９０を開ける場合には、蓋部９０をある程度以上の力で開状態となる方向に持ち上げることにより開くようにすればよい。
【００５１】
なお、収納ケースＡの周縁支持部８０を除く部材は、ポリスチレン（ＰＳ）やポリエチレン（ＰＥ）等のプラスチック材（合成樹脂材）により形成されている。
【００５２】
上記の構成の収納ケースＡの使用状態について説明する。この収納ケースＡに収納対象の光ディスクを収納する場合には、蓋部９０を開状態とし、収納空間部Ｋの開口部ＫＯから挿入する（図６参照）。その際、光ディスクの端部が周縁支持部８０により挟持されるようにする。つまり、光ディスクの左端は収納空間部Ｋの開口部ＫＯの左側に臨む周縁支持部８０に支持させ、光ディスクの右端は収納空間部Ｋの開口部ＫＯの右側に臨む周縁支持部８０に支持させる。その後、この周縁支持部８０をレールのように使用して光ディスクを奥に押し込んでいき、周縁支持部８０の円弧状部分により光ディスクの周囲が支持されるようにする。なお、光ディスクを収納する際に、傾斜部３２、６２が設けられているので、光ディスクの端部を容易に周縁支持部８０内に配置させることができる。光ディスクＤＳの収納状態は、図７に示すようになる。
【００５３】
以上のように、光ディスクを収納空間部Ｋの最奥部にまで押し込み、周縁支持部８０により支持された状態としたら、蓋部９０を回動させて閉状態とする。これにより、収納された光ディスクは脱落することがない。つまり、蓋部９０を閉じた状態では、収納空間部Ｋの開口部ＫＯの正面側に周囲部９４ｂが存在するので、光ディスクは脱落することがない。また、光ディスクが収納された状態では、光ディスクの周縁が周縁支持部８０により支持され、この周縁支持部８０は光ディスクの記録面に接触しないので、光ディスクの記録面を損傷することがない。また、光ディスクの中央に設けられた開口部を介しては支持しないので、光ディスクの該開口部を損傷することがない。また、収納空間部Ｋにおいて周縁支持部８０が設けられる溝部Ｋ３１以外の領域においては、その上下幅が周縁支持部８０内の溝部の上下幅よりも大きく形成されているので、光ディスクが内側天井部Ｋ２や内側底面部Ｋ１に接触することがなく、その意味でも、光ディスクが損傷することがない。また、収納空間部Ｋは、水平の中心面を介して面対称に形成されているので、光ディスクの表面と裏面のいずれを上側にして収納しても、光ディスクが損傷することがない。
【００５４】
また、収納ケースＡに収納されている光ディスクを取り出す場合には、蓋部９０を回動させて開状態とすると、光ディスクの開口部が切欠部５４内に露出しているので、この開口部に指を入れて手前側に光ディスクを引き出す。すると、光ディスクは、周縁支持部８０に沿ってスムーズに引き出されることになる。つまり、光ディスクを引き出す動作を行うのみで、光ディスクを取り出すことが可能となる。
【００５５】
以上のように、本実施例の収納ケースＡによれば、極めて簡単な操作で光ディスクの収納及び取出しを行うことができる。
【００５６】
次に、第２実施例について説明する。第２実施例の収納ケース（収納体）Ｂは、図８〜図１５に示すように構成され、箱状部１００と、複数のケース本体１１０等を有している。
【００５７】
ここで、箱状部１００は、正面側が開口した直方体を呈し、底面部１００ａと、左側面部１００ｂと、右側面部１００ｃと、上面部１００ｄと、背面部（図示せず）とを有している。底面部１００ａと、左側面部１００ｂと、右側面部１００ｃと、上面部１００ｄと、背面部とは、板状を呈していて、箱状部１００は全体に箱状を呈している。この箱状部１００の内部の収納空間には、複数のケース本体１１０が収納されるようになっている。
【００５８】
次に、ケース本体１１０について説明する。ケース本体１１０は、全体に略平板状の略直方体を呈し（ただし、１つの角部は円弧状になっている）、内部に収納空間部Ｋを有する構成となっている。この収納空間部Ｋは、下側部１２０と上側部１５０間に形成された空間であり、扁平状を呈しているといえる。なお、このケース本体１１０は、上記特許請求の範囲との関係では、特許請求の範囲における収納ケースに当たる場合もある。
【００５９】
すなわち、ケース本体１１０は、下側部１２０と、上側部１５０と、周縁支持部１８０と、脱落防止部２００とを有している。この下側部１２０と上側部１５０とは、重ねて固着した状態となっていて、脱落防止部２００は、下側部１２０と上側部１５０間に回動自在に軸支されている。
【００６０】
ここで、下側部１２０は、図１２等に示すように、平板状部１２２と、突状部１３０とを有し、平板状部１２２は、板状を呈し、その平面形状は、四角形状（具体的には、正方形状）の１つの角部を円弧状としつつ、右側面側が手前に突出した形状となっている。つまり、平板状部１２２は、図９等に示すように、正面側の左側面側の角部が円弧状に形成されていて、右側面側の正面には突出部１３１を有している。なお、この下側部１２０は、全体に一体に形成されている。また、平板状部１２２の上面と下面とはともに平面状に形成され、これにより、平板状部１２２の上面、すなわち、収納空間部Ｋにおける内側底面部Ｋ１１も平面状に形成されている。
【００６１】
また、突状部１３０は、平板状部１２２における正面側と左側面側の一部を除いて平板状部１２２の周囲に突設されていて、収納される光ディスクの周囲の形状に沿って形成された周設部１３０ａと、背面側の両側の角部に設けられた角設部１３０ｂ−１、１３０ｂ−２とを有している。この周設部１３０ａは、下側部１２０の右側面に沿って形成された直線状部１３０ａ−１と、該直線状部１３０ａ−１から連設された円弧状部１３０ａ−２とを有している。該円弧状部１３０ａ−２は、下側部１２０の右側面側の端部から背面側の端部に至りさらに左側面側の端部にまで円弧状に形成されている。つまり、この円弧状部１３０ａ−２は、ほぼ半円の円弧分形成されているといえる。また、角設部１３０ｂ−１は、下側部１２０の背面側で右側面側の角部に設けられ、該直線状部１３０ａ−１を延長して連設された直線状部１３０ｂ−１１と下側部１２０の背面側に沿って形成された直線状部１３０ｂ−１２とを有し、平面視において略Ｌ字状を呈している。また、角設部１３０ｂ−２は、下側部１２０の背面側で左側面側の角部に設けられ、直線状部１３０ｂ−１２の延長線上に設けられた直線状部１３０ｂ−２２と下側部１２０の左側面側に沿って形成された直線状部１３０ｂ−２１とを有し、平面視において略Ｌ字状を呈している。なお、突状部１３０は、平板状部１２２の上面よりも上方に突出した部分である。
【００６２】
また、この周設部１３０ａの内側には、傾斜部１３２が形成され、また、該傾斜部１３２の外側には、切欠部１３４が設けられている。この傾斜部１３２は、内側から外側に向けて上方に傾斜する傾斜面からなり、その横断面は、図１４に示すように、直線状となっている。また、該切欠部１３４は、その横断面が長方形状を呈し、具体的には、平面部１３４ａと垂直部１３４ｂとから形成されている。この平面部１３４ｂは、該傾斜部１３２の上端から連設されている。また、垂直部１３４ｂの上端からは、上面部１３６が連設されている。この上面部１３６は、平面状を呈している。
【００６３】
この平板状部１２２は、光ディスクを収納できる大きさに形成されている。つまり、収納ケースＢの完成状態において、断面略コ字状を呈する周縁支持部１８０（詳しくは後述）における垂直部１８０ｂの内側の面における最も背面側の位置から正面側の端部（突出部１３１を除く）までの距離α１１は、収納対象の光ディスクの直径以上の大きさに形成されている。
【００６４】
また、平板状部１２２における左側面側の周設部１３０ａの近傍には脱落防止部２００の突状部２４２を挿入するための穴部Ｔが設けられている（図１１参照）。
【００６５】
また、上側部１５０は、図１３等に示すように、平板状部１５２と、突状部１６０とを有し、平板状部１５２は、板状を呈し、その平面形状は、四角形状（具体的には、正方形状）の１つの角部を円弧状としつつ、右側面側が手前に突出した形状となっている。つまり、平板状部１５２は、図９等に示すように、正面側の左側面側の角部が円弧状に形成されていて、右側面側の正面には突出部１５１を有している。この突出部１５１には、切欠部が設けられ、ケース本体１１０を箱状部１００に対して回動させる場合に指を掛止することができるようになっている。この突出部１５１と突出部１３１とによって、突出部１９０が構成される。なお、この上側部１５０は、全体に一体に形成されている。また、この平板状部１５２には、切欠部１５４が形成されている。この切欠部１５４は、平板状部１５２の正面側（Ｙ１側）から帯状に形成されている。つまり、この切欠部１５４の開口部は、収納空間部Ｋの開口部の向きと合わせて形成されている。なお、この切欠部１５４は、光ディスクを内部に収納した際に、光ディスクＤＳの中央に設けられた円形の開口部３００がこの切欠部１５４から露出するように形成されている（図１３参照）。また、平板状部１５２の上面と下面とはともに平面状に形成され、これにより、平板状部１５２の上面、すなわち、収納空間部Ｋにおける内側底面部Ｋ１１も平面状に形成されている。
【００６６】
また、突状部１６０は、平板状部１５２における正面側と左側面側の一部を除いて平板状部１５２の周囲に突設されていて、収納される光ディスクの周囲の形状に沿って形成された周設部１６０ａと、背面側の両側の角部に設けられた角設部１６０ｂ−１、１６０ｂ−２とを有している。この周設部１６０ａは、上側部１５０の右側面に沿って形成された直線状部１６０ａ−１と、該直線状部１６０ａ−１から連設された円弧状部１６０ａ−２とを有している。該円弧状部１６０ａ−２は、上側部１５０の右側面側の端部から背面側の端部に至りさらに左側面側の端部にまで円弧状に形成されている。つまり、この円弧状部１６０ａ−２は、ほぼ半円の円弧分形成されているといえる。また、角設部１６０ｂ−１は、上側部１５０の背面側で右側面側の角部に設けられ、該直線状部１６０ａ−１を延長して連設された直線状部１６０ｂ−１１と上側部１５０の背面側に沿って形成された直線状部１６０ｂ−１２とを有し、平面視において略Ｌ字状を呈している。また、角設部１６０ｂ−２は、上側部１５０の背面側で左側面側の角部に設けられ、直線状部１６０ｂ−１２の延長線上に設けられた直線状部１６０ｂ−２２と上側部１５０の左側面側に沿って形成された直線状部１６０ｂ−２１とを有し、平面視において略Ｌ字状を呈している。なお、突状部１６０は、平板状部１５２の下面よりも下方に突出した部分である。
【００６７】
また、この周設部１６０ａの内側には、傾斜部１６２が形成され、また、該傾斜部１６２の外側には、切欠部１６４が設けられている。この傾斜部１６２は、内側から外側に向けて上方に傾斜する傾斜面からなり、その横断面は、図１４に示すように、直線状となっている。なお、傾斜部１６２の傾斜角度は、傾斜部１３２と対称になっている。また、該切欠部１６４は、その横断面が長方形状を呈し、具体的には、平面部１６４ａと垂直部１６４ｂとから形成されている。この平面部１６４ａは、該傾斜部１６２の上端から連設されている。また、垂直部１６４ｂの上端からは、下面部１６６が連設されている。この下面部１６６は、平面状を呈している。
【００６８】
この平板状部１５２は、光ディスクを収納できる大きさに形成されている。つまり、収納ケースＢの完成状態において、断面略コ字状を呈する周縁支持部１８０（詳しくは後述）における垂直部１８０ｂの内側の面における最も背面側の位置から正面側の端部（突出部１５１を除く）までの距離α２１は、収納対象の光ディスクの直径以上の大きさに形成されている。
【００６９】
また、平板状部１５２における左側面側の周設部１６０ａの近傍には脱落防止部２００の突状部２４２を挿入するための穴部Ｔが設けられている。なお、上記下側部１２０と上側部１５０とで上記本体部が構成される。なお、下側部１２０と上側部１５０とで構成される内部の収納空間部は、水平の中心面を介して面対称となっているといえる。
【００７０】
また、周縁支持部１８０は、断面略コ字状を呈する帯状の部材であり、切欠部１３４と切欠部１６４とで構成される溝部Ｋ１３１（この溝部Ｋ１３１は、傾斜部１３２と傾斜部１６２とで挟まれた溝部Ｋ１３０と溝部Ｋ１３１とで構成される溝部Ｋ１３における奥側の部分を示すといえる）内に設けられている。つまり、周縁支持部１８０は、図１４に示すように、平板状を呈する水平部１８０ａと、該水平部１８０ａの端部から垂直に連設された垂直部１８０ｂと、該垂直部１８０ｂの端部から直角に連設された水平部１８０ｃとを有し、この水平部１８０ａと水平部１８０ｃとは平行になっている。つまり、周縁支持部１８０は、水平部１８０ａにおける平面や水平部１８０ｃにおける平面に平行な中心面を中心に面対称の形状となっている。そして、この水平部１８０ａが切欠部１３４の平面部１３４ａに固着され、垂直部１８０ｂが垂直部１３４ｂ、１６４ｂに固着され、水平部１８０ｃが平面部１６４ａに固着されている。なお、溝部Ｋ１３１において円弧状に形成されている部分については、この周縁支持部１８０もその円弧状に合わせて円弧状に形成されている。つまり、周縁支持部１８０の断面略コ字状形状における開口側は、内側を向いた状態となっている。この周縁支持部１８０は、ゴム、シリコン、不織布等のクッション材により形成されている。また、この周縁支持部１８０の内部の溝状部における幅β（図１２参照）（このβは、周縁支持部１８０における断面略コ字状の溝部における深さ方向の幅に当たる）は、光ディスクにおける外周の非記録領域の幅よりも短く形成されている。これにより、光ディスクが内部に収納された場合に、この周縁支持部１８０が光ディスクの記録面に接触することはない。なお、当然、この周縁支持部１８０における垂直部１８０ｂの内側の面における円弧状の直径α１２は、収納対象の光ディスクの直径の長さ以上（該長さを越えるとしてもよい）の長さを有し、また、周縁支持部１８０における水平部１８０ａ、１８０ｃの内側の端部におけるる円弧状の直径α１３は、収納対象の光ディスクの直径の長さより短く形成されている。また、この周縁支持部１８０の内部の溝部の厚みγ（図１４参照）は、収納対象の光ディスクの厚みと同じか若干大きめに形成されている。なお、周縁支持部１８０がかなりの弾力性がある場合には、該厚みγは光ディスクの厚みよりも小さくする場合も考えられる。
【００７１】
次に、脱落防止部２００について説明する。この脱落防止部２００は、断面略コ字状の部材であり、その平面形状は、図１２に示すように、円弧帯状を呈しその先端が外側に屈曲する形状を呈し、その内側に沿って、溝部Ｋ２３が設けられている（図１５参照）。つまり、断面形状が台形形状と四角形状とを合わせた形状の溝部Ｋ２３が設けられている。すなわち、手前側に断面台形状の溝部が設けられ、奥側には該断面台形状の溝部に連設された断面四角形状の溝部が設けられている。すなわち、脱落防止部２００の内側の側面には、傾斜部２１０と傾斜部２１２が設けられ（この傾斜部２１０と傾斜部２１２とは水平な中心面を介して対称となっている）、該傾斜部２１０、２１２の奥側には、溝部２２０が設けられている。つまり、傾斜部２１０の上端からは水平部２２２が連設され、傾斜部２１２の下端からは水平部２２６が連設されており、水平部２２２と水平部２２６の端部からは垂直部２２４が連設されている。この溝部Ｋ２３は、図１２、図１５に示すように、平面視において、突状部２４０、２４２が設けられている側からは周縁支持部１８０の円弧形状と同じ円弧状に形成されているが、途中からは外側に向かう形状となっている。つまり、脱落防止部２００は、円弧状に形成された円弧状部２００−１と、外側に湾曲した湾曲部２００−２とを有しているといえる。
【００７２】
そして、この溝部２２０には、断面略コ字状の周縁支持部２３０が設けられている。この周縁支持部２３０の断面形状や断面の大きさは、上記周縁支持部１８０と同様に形成されていて、光ディスクの端部を支持できるようになっている。例えば、この周縁支持部２３０の内部の溝状部における幅は、光ディスクにおける外周の非記録領域の幅よりも短く形成されており、また、周縁支持部２３０は面対称の形状となっている。この周縁支持部２３０も同様にゴム、シリコン、不織布等のクッション材により形成されている。なお、周縁支持部１８０の材質と周縁支持部２３０の材質とは同じとするのが好ましい。
【００７３】
この脱落防止部２００の下端には円柱状の突状部２４０が設けられ、また、その上端には同じく円柱状の突状部２４２が設けられている。この突状部２４０と突状部２４２とは同軸に形成され、これにより、脱落防止部２００は、この突状部２４０、２４２を回動軸として回動するようになっている。また、この突状部２４０と突状部２４０が挿入された穴部間には、付勢部材（例えば、バネ部材）が設けられているとともに、突状部２４２と突状部２４２が挿入された穴部間には、付勢部材（例えば、バネ部材）が設けられていて、脱落防止部２００は、回動方向Ｆ１に付勢されている。なお、突状部２４０、２４２に取り付けられた付勢部材の付勢力は、光ディスクを収納空間部Ｋの開口部から挿入しようとした場合や収納された光ディスクを引き出した場合に、容易に脱落防止部２００がＦ２方向に回動するとともに、光ディスクが収納されている状態で光ディスクの脱落を防止できる程度に閉状態を保つ程度（例えば、収納空間部Ｋを下向きにしても光ディスクが脱落しない）とするようにする。
【００７４】
なお、下側部１２０と上側部１５０とは接着剤等の固着手段により固着された状態となっている。
【００７５】
以上のようにして、収納空間部Ｋは、水平の中心面を介して面対称に形成されているといえる。
【００７６】
なお、図９、図１１等に示すように、ケース本体１１０には、穴部Ｒが設けられていて、棒状部２５０を挿通できるようになっている。つまり、複数のケース本体１１０には、箱状部１００内において棒状部２５０が挿通されて、この棒状部２５０を中心に回動するようになっている。
【００７７】
なお、収納ケースＢの周縁支持部１８０、２３０を除く部材は、ポリスチレン（ＰＳ）やポリエチレン（ＰＥ）等のプラスチック材（合成樹脂材）により形成されている。
【００７８】
上記の構成の収納ケースＢの使用状態について説明する。この収納ケースＢに収納対象の光ディスクを収納する場合には、箱状部１００に収納されているケース本体１１０を回動させて、収納空間部Ｋの開口部を正面側に向ける。つまり、突出部１９０における切欠部に指を掛止させてこの突出部１９０を手前側に引くことにより、ケース本体１１０を９０度回動させて、収納空間部Ｋを正面側に向ける。つまり、収納空間部Ｋの開口部が正面側に露出する。そして、収納空間部Ｋの開口部から挿入する。その際、光ディスクの端部が周縁支持部１８０及び周縁支持部２３０により挟持されるようにする。つまり、光ディスクの左端は脱落防止部２００に設けられた周縁支持部２３０に支持させ、光ディスクの右端は収納空間部Ｋの開口部の右側に臨む周縁支持部１８０に支持させる。なお、脱落防止部２００は、Ｆ１の方向に付勢されているので、閉じた状態となっているが、湾曲部２００−２においては、周縁支持部２３０も外側を向いているので、容易に周縁支持部２３０内に支持させることができる。また、光ディスクを収納する際に、傾斜部２１０、２１２、１３２、１６２が設けられているので、光ディスクの端部を容易に周縁支持部２３０、１８０内に配置させることができる。
【００７９】
その後、この周縁支持部１８０をレールのように使用して光ディスクを押し込んでいくと、脱落防止部２００がそれに伴いＦ２方向に回動し、そのまま光ディスクを奥まで押し込むことができ、周縁支持部１８０の円弧状部分により光ディスクの周囲が支持されるようにする。
【００８０】
以上のように、光ディスクを収納空間部Ｋの最奥部にまで押し込むと、脱落防止部２００は閉じた位置に戻り、この脱落防止部２００が収納された光ディスクの脱落を防止する。収納が完了したら、ケース本体１１０を回動させて、箱状部１００内に収納する。なお、光ディスクが収納された状態では、光ディスクの周縁が周縁支持部１８０、２３０により支持され、この周縁支持部１８０、２３０は光ディスクの記録面に接触しないので、光ディスクの記録面を損傷することがない。また、光ディスクの中央に設けられた開口部を介しては支持しないので、光ディスクの該開口部を損傷することがない。また、収納空間部Ｋにおいて周縁支持部１８０が設けられる溝部Ｋ１３１以外の領域においては、その上下幅が周縁支持部１８０内の溝部の上下幅よりも大きく形成されているので、光ディスクが内側天井面部Ｋ１２や内側底面部Ｋ１１に接触することがなく、その意味でも、光ディスクが損傷することがない。また、収納空間部Ｋは、水平の中心面を介して面対称に形成されているので、光ディスクの表面と裏面のいずれを上側にして収納しても、光ディスクが損傷することがない。
【００８１】
また、収納ケースＢに収納されている光ディスクを取り出す場合には、ケース本体１１０を回動させて、収納空間部Ｋの開口部を正面側に向けた後に、光ディスクの開口部が切欠部１５４内に露出しているので、この開口部に指を入れて手前側に光ディスクを引き出す。すると、光ディスクは、周縁支持部１８０、２３０に沿ってスムーズに引き出されることになる。なお、脱落防止部２００は当初閉じた状態となっているが、光ディスクを引き出すことによりＦ２方向に回動し、容易に光ディスクを引き出すことができる。つまり、光ディスクを引き出す動作を行うのみで、光ディスクを取り出すことが可能となる。
【００８２】
以上のように、本実施例の収納ケースＢによれば、極めて簡単な操作で光ディスクの収納及び取出しを行うことができる。
【００８３】
上記各実施例において、周縁支持部が設けられているものとして説明したが、この周縁支持部の構成を省略して、溝部により光ディスクの周縁を支持するようにしてもよい。
【００８４】
また、上記各実施例においては、上側部と下側部とに分けて構成したが、上側部と下側部とを一体の構成としてもよい。
【００８５】
なお、上記の説明では、記録媒体として光ディスクを例にとって説明したが、円板状の記録媒体であれば光ディスク以外の記録媒体でもよい。
【００８６】
【発明の効果】
本発明に基づく収納ケースや収納体によれば、記録媒体の周縁を支持することにより記録媒体を収納するので、記録媒体を損傷させることがない。また、収納された記録媒体を取り出す場合には、記録媒体を引き出すのみで開口部から取り出すことができ、また、記録媒体を収納する場合には、開口部から収納空間部内に記録媒体を押し込むのみでよいので、記録媒体の取出しや収納の作業が極めて容易となる。
【００８７】
また、特に、収納空間部における溝部よりも内周側が、溝部に比べてその幅が広く形成されている場合には、収納空間部の上面や底面が記録媒体に接触することがなく、その点でも記録媒体を損傷させることがない。
【図面の簡単な説明】
【図１】本発明の第１実施例に基づく収納ケースを示す斜視図である。
【図２】本発明の第１実施例に基づく収納ケースの要部斜視図である。
【図３】本発明の第１実施例に基づく収納ケースにおけるケース本体の断面図であり、特に、図１におけるＸ−Ｘ断面図である。
【図４】本発明の第１実施例に基づく収納ケースにおけるケース本体の断面図であり、特に、図１におけるＹ−Ｙ断面図である。
【図５】本発明の第１実施例に基づく収納ケースにおけるケース本体の要部断面図であり、特に、図２におけるＸ−Ｘ断面図である。
【図６】本発明の第１実施例に基づく収納ケースの使用状態を示す説明図である。
【図７】本発明の第１実施例に基づく収納ケースの使用状態を示す要部断面図である。
【図８】本発明の第２実施例に基づく収納ケースを示す斜視図である。
【図９】本発明の第２実施例に基づく収納ケースにおけるケース本体の斜視図である。
【図１０】本発明の第２実施例に基づく収納ケースにおけるケース本体の正面図である。
【図１１】本発明の第２実施例に基づく収納ケースにおけるケース本体の分解斜視図である。
【図１２】本発明の第２実施例に基づく収納ケースにおけるケース本体の断面図であり、特に、図９におけるＸ−Ｘ断面図である。
【図１３】本発明の第２実施例に基づく収納ケースにおけるケース本体の断面図であり、特に、図９におけるＹ−Ｙ断面図である。
【図１４】本発明の第２実施例に基づく収納ケースにおけるケース本体の要部断面図であり、特に、図９におけるＺ−Ｚ断面図である。
【図１５】本発明の第２実施例に基づく収納ケースにおけるケース本体の要部断面図であり、特に、図９におけるＷ−Ｗ断面図である。
【符号の説明】
Ａ、Ｂ  収納ケース
１０、１１０  ケース本体
２０、１２０  下側部
２２、５２、１２２、１５２  平板状部
３０、６０、１３０、１６０  突状部
３２、６２、１３２、１６２、２１０、２１２  傾斜部
３４、５４、６４、１３４、１５４、１６４  切欠部
５０、１５０  上側部
８０、１８０、２３０  周縁支持部
９０  蓋部
１００  箱状部
２００  脱落防止部
Ｋ  収納空間部
ＫＯ  開口部
Ｋ３１、Ｋ１３１  溝部
【図１】
2005071423.tif 000003
【図２】
2005071423.tif 000004
【図３】
2005071423.tif 000005
【図４】
2005071423.tif 000006
【図５】
2005071423.tif 000007
【図６】
2005071423.tif 000008
【図７】
2005071423.tif 000009
【図８】
2005071423.tif 000010
【図９】
2005071423.tif 000011
【図１０】
2005071423.tif 000012
【図１１】
2005071423.tif 000013
【図１２】
2005071423.tif 000014
【図１３】
2005071423.tif 000015
【図１４】
2005071423.tif 000016
【図１５】
2005071423.tif 000017